(57)【特許請求の範囲】
【請求項１】
器体及び蓋体からなるコンセント本体と、このコンセント本体に設けられ互いに電気的に接続されたプラグ接続部及び端子部と、表面にプラグを抜き差しするボス面を形成したコンセントボス体とを備えたコンセントであって、
前記コンセントボス体を前記コンセント本体に対して傾動自在に支持し、
かつ、前記コンセントボス体に復帰駒を形成するとともに、前記コンセント本体の内部にこの復帰駒を弾力的に挟持する傾動復帰ばねを設け、該復帰駒に対する傾動復帰ばねの付勢力によって、傾動した前記コンセントボス体を傾きのない正常姿勢に復帰させる構成としたことを特徴とするコンセント。
【請求項２】
器体及び蓋体からなりかつ端子部を有するコンセント本体と、前記端子部と電気的に接続されたプラグ接続部を有し前記コンセント本体に対して所定の軸中心に傾動自在に支持された基体と、表面にプラグを抜き差しするボス面を形成するとともに、前記基体に対して該基体の傾動中心軸とは異なった方向に延びる軸を中心に傾動自在に支持されたコンセントボス体とを備え、
かつ、前記基体に基体復帰駒を形成するとともに、前記コンセント本体の内部にこの基体復帰駒を弾力的に挟持する基体傾動復帰ばねを設け、該基体復帰駒に対する基体傾動復帰ばねの付勢力によって、傾動した前記基体を傾きのない正常姿勢に復帰させる構成とするとともに、
かつ、前記コンセントボス体にボス体復帰駒を形成するとともに、前記基体の内部にこのボス体復帰駒を弾力的に挟持するボス体傾動復帰ばねを設け、該ボス体復帰駒に対するボス体傾動復帰ばねの付勢力によって、傾動した前記コンセントボス体を傾きのない正常姿勢に復帰させる構成としたことを特徴とするコンセント。
【発明の詳細な説明】
【０００１】
【産業上の利用分野】
本発明は屋内配線用のコンセントに関し、詳しくは近い将来訪れるであろう高齢化社会に対応し、高齢者にも安全でかつ使い易くしたコンセントに関する。
【０００２】
【従来の技術】
従来のコンセントは、いったん挿入したプラグ刃が容易に抜けることのないよう、図１４に示す刃受けばね１００の挾持力を比較的強めにし、しかも同図に示すようにプラグ刃挿入孔１０１部分の肉厚ｄを厚くしてプラグ刃の傾きを規制する構成となっていた。これはコンセントからプラグが容易に抜けるようでは、使用者がその都度差し込みを繰り返さなければならず、使用上の煩雑さがあり、またコンピュータ等のＯＡ機器にあっては不用意にプラグが抜けた場合、機器の機能に障害がでることもあるからである。
【０００３】
一方、コンセントに差し込まれたプラグとそこから電力供給を受ける電気機器との間は電気コードによって結ばれており、この電気コードを使用者が不注意に引っかけてしまうこともある。そこで、従来はこのような電気コードの引っかかりを防止するために、コンセントは屋内の低所に設置し、電気コードが床面上を這うようにする配慮がなされていた。
【０００４】
【発明が解決しようとする課題】
しかしながら、近年、近い将来訪れるであろう高齢化社会に対処するため、屋内でのコンセントの設置場所が見直されてきている。すなわち、コンセント使用者が高齢者の場合、特に車椅子を使用する高齢者にあっては、車椅子に乗ったまま低所に設置したコンセントにプラグを差し込む作業は大変煩わしいものである。そこで、車椅子に乗ったまま、あるいは高齢者が立ったままの姿勢で容易にプラグを差し込むことのできる位置に、コンセントを設置しようという提案が、近年の住宅設備開発において考えられている。
【０００５】
このように比較的高所にコンセントを設置した場合、プラグから延びる電気コードが宙吊りの状態となり、引っかけを生じやすくなる。ところが、従来のようにプラグを抜けにくくした構成のコンセントでは、電気コードを引っかけた人が転倒して思わぬ怪我をしたり、あるいは電気機器が引っ張られて床上に落下し破損する危険があった。
また、刃受けばねの挾持圧力を強くしてある従来のコンセントでは、力の弱い高齢者がプラグを差し込むにも苦労をしいられる。
【０００６】
本発明はこのような事情に鑑みてなされたもので、近い将来訪れるであろう高齢化社会に対処すべく、高齢者にも容易にプラグを差し込むことができ、また電気コードを引っかけた場合にプラグが容易に抜け、怪我又は電気機器の破損を防止できるコンセントの提供を目的とする。
【０００７】
【課題を解決するための手段】
上記の目的を達成するために本発明のコンセントは、器体及び蓋体からなるコンセント本体と、このコンセント本体に設けられ互いに電気的に接続されたプラグ接続部及び端子部と、表面にプラグを抜き差しするボス面を形成したコンセントボス体とを備えたコンセントであって、
コンセントボス体をコンセント本体に対して傾動自在に支持し、
かつ、コンセントボス体に復帰駒を形成するとともに、コンセント本体の内部にこの復帰駒を弾力的に挟持する傾動復帰ばねを設け、該復帰駒に対する傾動復帰ばねの付勢力によって、傾動したコンセントボス体を傾きのない正常姿勢に復帰させる構成としたことを特徴としている。
【０００８】
また、本発明の他の構成は、器体及び蓋体からなりかつ端子部を有するコンセント本体と、端子部と電気的に接続されたプラグ接続部を有しコンセント本体に対して所定の軸中心に傾動自在に支持された基体と、表面にプラグを抜き差しするボス面を形成するとともに、基体に対して該基体の傾動中心軸とは異なった方向に延びる軸を中心に傾動自在に支持されたコンセントボス体とを備え、
かつ、基体に基体復帰駒を形成するとともに、コンセント本体の内部にこの基体復帰駒を弾力的に挟持する基体傾動復帰ばねを設け、該基体復帰駒に対する基体傾動復帰ばねの付勢力によって、傾動した基体を傾きのない正常姿勢に復帰させる構成とするとともに、
かつ、コンセントボス体にボス体復帰駒を形成するとともに、基体の内部にこのボス体復帰駒を弾力的に挟持するボス体傾動復帰ばねを設け、該ボス体復帰駒に対するボス体傾動復帰ばねの付勢力によって、傾動したコンセントボス体を傾きのない正常姿勢に復帰させる構成としたことを特徴としている。
【０００９】
【作用】
コンセントに差し込んだプラグには、そこから延びる電気コードを人が引っかけた場合、差し込み方向より任意の角度傾いた方向に荷重が作用する。従来のコンセントのように、プラグ刃挿入孔部分の肉圧を厚くしてプラグ刃の傾きを規制する構成（図１４参照）では、差し込み方向のちょうど反対向きに力を加えなければ、プラグを抜くことはできない。
【００１０】
本発明は、コンセント本体に対してコンセントボス体を傾動自在とし、該コンセントボス体にプラグを抜き差しするボス面を形成してあるので、傾いた方向からプラグの電気コードに荷重が作用した場合、コンセントボス体とともにプラグがその荷重方向へと傾動し、その結果、プラグの引き抜き方向が荷重方向に近づき、プラグの抜けが容易となる。
【００１１】
また本発明は、コンセントボス体を基体へ傾動自在に配設し、さらにこの基体をコンセント本体へ傾動自在に配設したので、コンセントボス体のボス面が二方向に傾動自在となり、したがって、プラグへの荷重作用に対して柔軟にプラグを傾動させることができ、プラグの抜けが容易となる。
【００１２】
【実施例】
以下、本発明の実施例を図面を参照して説明する。
図１〜図７は本発明の第一実施例に係るコンセントを示しており、図１は同コンセントの正面図、図２は図１のＡ−Ａ線断面図、図３は同コンセントの背面図、図４は図１におけるＢ−Ｂ線断面図である。
【００１３】
本実施例に係るコンセントは、器体１１と蓋体１２とでコンセント本体１０が構成されており、このコンセント本体１０の内部にプラグ接続部１３，１３が形成されている。各プラグ接続部１３は、器体１１の内底部に固定された一対の刃受ばね１４で構成されている。
これらの刃受ばね１４は、プラグ刃の接触状態を維持できる範囲で挾持圧力を軽減してある。そのための手法としては、例えば刃受ばね１４の肉圧を薄くしたり、また刃受ばね１４のプラグ刃接触部１４ａを若干押し開いておく方法がある。このような構成とすることにより、刃受ばね１４で挾持したプラグ刃が、差し込み状態で傾動可能となる。特に、図２の紙面と交叉する方向へのプラグ刃の傾動が容易となる。
【００１４】
一方、上記刃受ばね１４の構成によりプラグ挾持方向と逆の向きにもプラグ刃が傾動し易くなるが、同方向への傾動が大き過ぎると、刃受ばね１４が押し拡げられて接触不良をおこす危険がある。そこで、刃受ばね１４の側方には、刃受ばね１４の変形量を規制するために側壁１５が設けてあり、必要以上に刃受ばね１４が押し拡げられるのを防止している（図２参照）。この側壁１５は、刃受ばね１４における幅広に形成されたプラグ刃接触部１４ａに当接して、同ばねの変形を防止するようになっている。
【００１５】
これに対し、従来のコンセントでは図１４に示すように、刃受ばね１００の先端１００ａを支えるようにして同ばね１００の変形を防止する変形防止壁１０２が形成されていた。しかし、過大な荷重によって該変形防止壁１０２に刃受ばね１００の先端１００ａが当接した場合、その先端１００ａを支点として屈曲部１００ｂが伸ばされてしまい、その結果、刃受ばね１００のプラグ接触部１００ｃが拡開し、プラグ刃１００の接触不良を生ずるおそれがあった。本実施例の側壁１５は、このような欠点を解消し、効果的に刃受ばね１００の変形を防止している。
【００１６】
また、図７に示すようにプラグ１が傾動した場合、刃受ばね１４におけるプラグ刃２との接触面積が減少し、導電性が低下するおそれを生じる。そこで、刃受ばね１４における少なくともプラグ刃接触部１４ａの幅を広げ（図５，図７参照）、プラグ刃２が傾動しても、充分な接触面積を確保し良好な導電性を維持できるようにしてある。なお、コンセント本体１０に収容できる範囲で、刃受ばね１４の全体幅を広げた構成としてもよい。このプラグ刃接触部１４ａの中央部付近には、内側へ突出した凸部１４ｂが形成してある。
【００１７】
コンセント本体１０の内部には、図３，図４に示すように端子部１６が設けてある。本実施例では、同図に示すように端子部１６をねじなし端子９によって構成してあり、器体１１に穿設したリード線挿入孔１７から端子金具９ａへとリード線を挿入し、このリード線１７を係止ばね１８によって係止するとともに、工具挿入孔１９から挿入したドライバにより解除こま２０を押圧することで、リード線の係止状態を解除できる構成となっている。この端子部１６は、図４に表れている接続導電板２１によって、刃受ばね１４と電気的に接続してある。
【００１８】
また、コンセント本体１０の蓋体１２にはプラグ接続部１３と対向する箇所に開口部２２が形成してある。そして、この開口部２２からボス面３１を露出した状態でコンセントボス体３１がコンセント本体１０に装着してある。コンセントボス体３０の表面には、一対のプラグ刃挿入孔３２，３２を有するボス面３１が形成してあり、これらプラグ刃挿入孔３２，３２がプラグ接続部１３の刃受ばね１４と対向する位置に配置されている。図１に示すように、プラグ刃挿入孔３２は細長い矩形状をしており、その各部寸法は日本工業規格（ＪＩＳ）にしたがって設定してある。
プラグ刃挿入孔３２の長手方向の端縁部分３２ａは薄肉に形成してあり、図７に示すようにプラグ刃２が傾動できるように構成してある。なお、同部分３２ａを薄肉に形成したことに関連し、ボス面３１を補強するため、ボス面３１の裏面には補強用のリブ３３が形成してある。
【００１９】
コンセント本体１０の内部には、傾動案内部材４０が配設してある。この傾動案内部材４０は、器体１１と蓋体１２の境界部分に配設してあり、しかも案内面４０ａが蓋体１２の内側部分まで延出している。この案内面４０ａは、図６に示す揺動軸３５を中心とした円弧面となっている。また、傾動案内部材４０において、コンセントボス体３０のプラグ刃挿入孔３２と刃受ばね１４とを結ぶ領域と交叉する部分には開口部４１が形成してあり、同部材４０と刃受ばね１４とが干渉しないようになっている。
【００２０】
コンセントボス体３０の基端縁には、図５，図６に示すように摺動部３６が形成してあり、傾動案内部材４０の案内面４０ａに該摺動部３６が摺接している。また、コンセントボス体３０における側壁の基端中央部には、図２の上下方向に傾動軸３５が形成してある。この傾動軸３５の延出方向を更に詳細に説明すると、プラグ刃挿入孔３２を長手方向に切断する仮想平面（図２で紙面と直交する平面）を考え、この仮想平面に直交する方向に延出している。一方、コンセント本体１０の蓋体１２内側面には、傾動軸３５を支承するための支持溝２３が、蓋体１２の基端から表部壁に至る長さで形成してある。
【００２１】
また、コンセントボス体３０の側壁に形成した傾動軸３５の基部には、傾動復帰用の駒（以下、復帰駒という）３７が下方（図２の左方）に延出して形成してある。一方、コンセント本体１０の内部において、図２の上下端に位置する側壁の近傍には、それぞれ一対の傾動復帰ばね３８，３８が配設してある。これら傾動復帰ばね３８，３８は、図６に示すように基端部が傾動案内部材４０に固着してあり、先端部にてコンセントボス体３０の復帰駒３７を同ボス体３０の傾動方向から弾力的に挾持する。これらの傾動復帰ばね３８によってコンセントボス体３０は、常時、コンセント本体１０に対して傾きのない姿勢に保たれる。
【００２２】
上述した本実施例のコンセントは、次の順序で組み立てられる。
まず、器体１１のプラグ接続部１３及び端子部１６に、それぞれ刃受ばね１４及びねじなし端子９を組み込み、続いて傾動復帰ばね３８が一体化している傾動案内部材４０を器体１１の上部に配置する。一方、蓋体１２に形成した支持溝２３に傾動軸３５を係合させるとともに、開口部２２からボス面３１を露出させた状態で蓋体１２にコンセントボス体３０を装着する。次いで、コンセントボス体３０の復帰駒３７を傾動復帰ばね３８で挾持した状態を形成し、この状態にて器体１１と蓋体１２とを組み合わせる。
【００２３】
このようなコンセントの組立ては、組立てロボットを用いて自動的に行うことができる。また、刃受ばね１４とねじなし端子９を接続導電板２１で接続する作業についても、各部品が剛体であるため、組立てロボットにより自動化することが容易である。これが、仮に可撓性の導線を使用して刃受ばね１４とねじなし端子９とを接続する構成の場合には、形状及び姿勢の定まらない可撓性導線を所定の箇所に溶着する作業を組立てロボットに行わせることが容易でなく、したがって組立て作業の完全自動化を実現するのに困難が伴うことになる。
【００２４】
次に、上述したコンセントの作用について、図５〜図７を主に参照して説明する。
コンセントボス体３０は、常時、傾動復帰ばね３８の付勢力を復帰駒３７が受けて、図５に示すようにコンセント本体１０に対して傾きのない姿勢（正常姿勢）を保っている。この姿勢にあるコンセントのプラグ刃挿入孔３２にプラグ１（図７参照）のプラグ刃２を挿入すると、コンセント本体１０の内部に配設した刃受ばね１４にプラグ刃２が挾持される。このとき、プラグ刃２の中央部付近に形成された係合孔２ａが、刃受ばね１４の凸部に係合し、クリック感をもって係合状態を形成する。
【００２５】
プラグ１から延びる電気コードに荷重が作用しないときは、上記傾動復帰ばね３８の付勢力をもってコンセントボス体３０の正常姿勢が維持される。
いま、人が電気コードを引っかけてしまい、プラグ１に図７の矢印方向ａ、すなわち横方向から荷重が作用すると、その荷重がコンセントボス体３０に伝わり、傾動復帰ばね３８の付勢力に抗して、同ボス体３０が傾動軸を中心に荷重の作用方向に傾動する。この傾動動作は、傾動案内部材４０の案内面４０ａに沿って摺動部が摺動することによって実現している。このコンセントボス体３０の傾動動作とともに、同ボス体３０に差し込んだプラグ１も荷重の作用方向に傾動する。
【００２６】
このとき、刃受ばね１４に形成した凸部１４ｂとプラグ刃２の係合孔２ａとの間の係合状態は解除されて、プラグ刃２も刃受ばね１４に対して荷重の作用方向へ傾いた姿勢となる（図７参照）。このように傾き姿勢となったプラグ刃２と刃受ばね１４との間の接触面積は小さくなり、したがって刃受ばね１４によるプラグ刃２の挾持力が弱くなる。
以上の結果、プラグ１が円滑にコンセントから抜け、電気コードを引っかけた人が転倒したり、あるいは電気機器が損傷したりするような事故を防止することができる。
なお、外部からの過大な荷重作用がなくなると、傾動復帰ばね３８により再びコンセントボス体３０は正常姿勢に復帰する。
【００２７】
図８〜図１３は本発明の第二実施例に係るコンセントを示す図であり、先に示した第二実施例と同一部分又は相当する部分には同一符号を付してある。
本実施例のコンセントは、器体１１及び蓋体１２からなるコンセント本体１０、このコンセント本体１０に傾動自在に装着された基体５０、及び基体５０に傾動自在に装着されたコンセントボス体３０から構成してある。端子部１６を形成するねじなし端子９はコンセント本体１０の器体１１に配設してあり、またプラグ接続部１３を形成する刃受ばね１４は基体５０の内部に配設してある。ここで、コンセントボス体３０、端子部１６、及びプラグ接続部１３は、先に示した第一実施例とほぼ同様の構成となっている。
【００２８】
基体５０の両側部には、図１１で紙面垂直方向に延びる基体傾動軸５１がそれぞれ形成してあり、かつ基体５０の基部面には、この基体傾動軸５１を中心とした円弧状の摺動部５２が形成してある。一方、コンセント本体１０の器体１１内部には、基体傾動軸５１を支承する支持溝５３、及び基体５０の摺動部５２が摺接する傾動案内部５４が形成してある。これらの構成によって、基体５０はコンセント本体１０に対して基体傾動軸５１を中心に傾動自在となっている。
【００２９】
さらに、基体傾動軸５１の基部には、傾動復帰用の駒（以下、基体復帰駒という）５５が下方（図１１の下方）に延出して形成してある。一方、コンセント本体１０の内部において、図９の上下端に位置する側壁の近傍には、それぞれ一対の傾動復帰ばね５６（基体傾動復帰ばね）が配設してある。これら一対の傾動復帰ばね５６，５６は、図１１に示すように、基体復帰駒を基体５０の傾動方向から弾力的に挾持している。これらの傾動復帰ばね５６，５６によって基体５０は、常時、コンセント本体１０に対して傾きのない姿勢（正常姿勢）に保たれる。
【００３０】
基体５０は器部５０ａと蓋部５０ｂで構成されており、それら各部の境界部分に傾動案内部材４０が配設してある。この傾動案内部材４０には、コンセントボス体３０の摺動部３６を案内する案内面４０ａが蓋部５０ｂの内側部分まで延出している。この案内面４０ａは、図１０に示す傾動軸３５を中心とした円弧面となっている。また、傾動案内部材４０において、コンセントボス体３０のプラグ刃挿入孔３２と刃受ばね１４とを結ぶ領域と交叉する部分には開口部４１が形成してあり、同部材４０と刃受ばね１４とが干渉しないようになっている。
【００３１】
コンセントボス体３０の基端縁には、先の第一実施例と同様、摺動部３６が形成してあり、傾動案内部材４０の案内面４０ａに該摺動部３６が摺接している（図１２参照）。また、コンセントボス体３０における側壁の基端中央部には、図１０の上下方向に傾動軸３５が形成してある。一方、基体の内側面には、傾動軸３５を支承するための支持溝２３が形成してある。コンセントボス体３０は、この支持溝２３に支承された傾動軸３５を中心として傾動自在となっている。
【００３２】
ここで、傾動軸３５の延出方向を更に詳細に説明すると、プラグ刃挿入孔３２を長手方向に切断する仮想平面（図９で紙面と直交する平面）を考え、この仮想平面と直交する方向に延出している。また、この傾動軸３５と上述した基体傾動軸５１とは、ほぼ９０°方向を異ならせてある。したがって、コンセントボス体３０と基体とはほぼ９０°異なる方向に傾動自在となっている。
【００３３】
なお、第一実施例と同様、傾動軸３５の基部には、傾動復帰用の復帰駒３７（ボス体復帰駒）が下方（図１２の左方）に延出して形成してある。一方、基体５０の内部において、図８の左右端に位置する側壁の近傍には、それぞれ一対の傾動復帰ばね３８，３８（ボス体傾動復帰ばね）が配設してある。これら一対の傾動復帰ばね３８，３８は、コンセントボス体３０の復帰駒３７を同ボス体３０の傾動方向から弾力的に挾持している。これらの傾動復帰ばね３８によってコンセントボス体３０は、常時、基体５０に対して傾きのない姿勢（正常姿勢）に保たれる。
【００３４】
上述した本実施例のコンセントは、基体５０に対してコンセントボス体３０が傾動自在となっているので、第一実施例の場合と同様、プラグ１から延びる電気コードを人が引っかけてしまい、プラグ１に対して縦方向から荷重が作用した場合には、コンセントボス体３０が荷重方向に傾動し、それとともにプラグ１が荷重方向に傾動する（図１３参照）。
この傾動姿勢においては、刃受ばね１４に対してもプラグ刃２が傾き姿勢となるので、刃受ばね１４のプラグ刃挾持面積が小さくなり、したがって、プラグ刃２の受ける挾持力が弱くなっている。その結果、プラグ１が円滑にコンセントから抜け、電気コードを引っかけた人が転倒したり、あるいは電気機器が損傷したりするような事故を防止することができる。
【００３５】
また、本実施例のコンセントは、基体５０がコンセント本体１０に対して横方向に傾動自在となっているので、差し込んだプラグ１に横方向の荷重が作用した場合にも、その荷重方向に基体５０が傾動しプラグ刃２が抜けやすくなっている。ここで、プラグ刃２の刃受ばね１４に対する傾動は、縦方向の荷重作用のときに比べ少ないが、基体５０の傾動のみでも、電気コードを引っかけた際のプラグの抜けに必要な力を大幅に軽減することができ、事故防止に大きく機能する。
コンセントボス体１０及び基体５０は、いずれも外部からの過大な荷重作用がなくなると、傾動復帰ばね３８，５６によってもとの正常姿勢に復帰する。
【００３６】
なお、本発明は上述した実施例に限定されるものではなく、本発明の技術的思想の範囲内で、種々の変形又は応用が可能である。
例えば、コンセントボス体のボス面には、マグネットプラグが抜き差しされる構成であってもよい。すなわち、ボス面にマグネット式のコネクタを配設し、このコネクタと端子部とを接続導体（プラグ接続部）により電気的に接続する構成とすることもできる。
また、請求項１のコンセントにおいて、コンセントボス体は、単一の軸を中心とした傾動のみならず、複数の軸を中心に傾動自在とすることもできる。さらに、端子部としては、ねじなし端子に限らず公知の各種端子を適用することができる。
【００３７】
【発明の効果】
以上説明したように本発明によれば、高齢者にも容易にプラグを差し込むことができ、また電気コードを引っかけた場合にプラグが容易に抜け、怪我又は電気機器の破損を防止できるという効果があり、近い将来訪れるであろう高齢化社会にも有効に対処することができる。
【図面の簡単な説明】
【図１】本発明の第一実施例に係るコンセントの正面図である。
【図２】図１のＡ−Ａ線断面図である。
【図３】同コンセントの背面図である。
【図４】図１のＢ−Ｂ線断面図である。
【図５】図１のＣ−Ｃ線断面図である。
【図６】図１のＤ−Ｄ線断面図である。
【図７】図５と同様の断面で示す動作説明図である。
【図８】本発明の第二実施例に係るコンセントの正面図である。
【図９】図８のＥ−Ｅ線断面図である。
【図１０】図８のＦ−Ｆ線断面図である。
【図１１】図８のＧ−Ｇ線断面図である。
【図１２】コンセントボス体及び基体を図８のＨ−Ｈ線部分で切断して示す断面図である。
【図１３】同コンセントの動作説明図である。
【図１４】従来のコンセントを示す中央縦断面図である。
【符号の説明】
１：プラグ                ２：プラグ刃
１０：コンセント本体      １１：器体
１２：蓋体                １３：プラグ接続部
１４：刃受ばね            １６：端子部
２１：接続導電板          ２３：支持溝
３０：コンセントボス体    ３１：ボス面
３２：プラグ刃挿入孔      ３５：傾動軸
３６：摺動部              ３７：復帰駒
３８：傾動復帰ばね        ４０：傾動案内部材
４０ａ：案内面            ５０：基体
５１：基体傾動軸          ５２：摺動部
５３：支持溝              ５４：傾動案内部
５５：基体復帰駒          ５６：傾動復帰ばね
【図１】
0003723583.tif 000002
【図２】
0003723583.tif 000003
【図３】
0003723583.tif 000004
【図４】
0003723583.tif 000005
【図５】
0003723583.tif 000006
【図６】
0003723583.tif 000007
【図７】
0003723583.tif 000008
【図８】
0003723583.tif 000009
【図９】
0003723583.tif 000010
【図１０】
0003723583.tif 000011
【図１１】
0003723583.tif 000012
【図１２】
0003723583.tif 000013
【図１３】
0003723583.tif 000014
【図１４】
0003723583.tif 000015